(57)【要約】  本発明の表面遅延剤組成物は、植物油またはその誘導体、動物油またはその誘導体、或いはこれらの混合物に懸濁された少なくとも１つの表面遅延剤活性物を含んでなる。この組成物の使用を含む方法も記述される。【特許請求の範囲】
【請求項１】
植物油またはその誘導体、動物油またはその誘導体、或いは該油のまたはその誘導体の混合物に分散された少なくとも１つのセメントの硬化を遅延させる活性成分を含んでなる、表面遅延剤組成物。
【請求項２】
該植物油、該動物油、或いはこれらの混合物または誘導体が組成物の全重量の、少なくとも１％で９８％を越えない、請求項１の組成物。
【請求項３】
該植物油、該動物油、或いはこれらの混合物が組成物の全重量の、少なくとも２５％で９２％を越えない、請求項２の組成物。
【請求項４】
該植物油、該動物油、或いはこれらの混合物が組成物の全重量の、少なくとも５０％で９０％を越えない、請求項３の組成物。
【請求項５】
少なくとも１つのセメントの硬化を遅延させる活性成分を植物油に分散させる、請求項４の組成物。
【請求項６】
該植物油が、ナタネ油、ヒマワリ油、大豆油、ヒマシ油、落花生油、ブドウ種油、トウモロコシ油、キヤノラ油、ココナッツ油、アマニ油、ゴマ油、オリーブ油、パーム油、ア−モンド油、アボカド油、キリ油、ココア油、サフラワ−油、麻実油、クルミ油、ケシ油、オイチシカ油、パ−ムナッツ油、エノ油、ペカン油、桐油、及び松根タール油からなる群から選択される、請求項５の組成物。
【請求項７】
該植物油がナタネ油を全重量の少なくとも５０％で含んでなる、請求項１の組成物。
【請求項８】
該少なくとも１つのセメントの硬化を遅延させる活性成分を植物油またはその誘導体に分散させる、請求項１の組成物。
【請求項９】
該植物油誘導体が、Ｃ６  −Ｃ３０脂肪酸のモノ及びジグリセリド、Ｃ６  −Ｃ３０脂肪酸のエステル、Ｃ６  −Ｃ３０脂肪酸のエトキシル化化合物、Ｃ６  −Ｃ３０脂肪族アルコ−ル、Ｃ６  −Ｃ３０脂肪族アミン、Ｃ６  −Ｃ３０脂肪族アミド、及びト−ル油誘導体からなる群から選択される１つまたはそれ以上の物質を含んでなる、請求項８の組成物。
【請求項１０】
該少なくとも１つのセメントの硬化を遅延させる活性成分を植物油またはその誘導体に分散させ、そして該植物油またはその誘導体が精油である、請求項１の組成物。
【請求項１１】
該精油がオレンジ、グレ−プフル−ツ、レモン、カンキツ類、及び松、のエッセンスから選択される、請求項１の組成物。
【請求項１２】
該少なくとも１つのセメントの硬化を遅延させる活性成分を、ラ−ド油、骨油、ニシン油、タラ肝油、牛脚油、イワシ油、ラノリン油、魚油、羊毛油、及びタロ−油からなる群から選択される動物油に分散させる、請求項１の組成物。
【請求項１３】
該動物油が、Ｃ６  −Ｃ３０脂肪酸のモノ及びジグリセリド、Ｃ６  −Ｃ３０脂肪酸のエステル、Ｃ６  −Ｃ３０脂肪酸のエトキシル化化合物、Ｃ６  −Ｃ３０脂肪族アルコ−ル、Ｃ６  −Ｃ３０脂肪族アミン、Ｃ６  −Ｃ３０脂肪族アミド、及びト−ル油誘導体からなる群から選択される物質を含んでなる、請求項１２の組成物。
【請求項１４】
該組成物が少なくとも２つの異なる植物油、または植物油及び植物油誘導体を含んでなる、請求項１の組成物。
【請求項１５】
該少なくとも１つのセメントの硬化を遅延させる活性成分が糖、或いは酸またはその塩である、請求項１の組成物。
【請求項１６】
該少なくとも１つのセメントの硬化を遅延させる活性成分が組成物の全重量の、少なくとも１％で２０％を越えない量で存在する、請求項１５の組成物。
【請求項１７】
該少なくとも１つのセメントの硬化を遅延させる活性成分がカルボン酸またはその塩、リンゴ酸またはその塩、酒石酸またはその塩、クエン酸またはその塩、グルコン酸またはその塩、ヘプタグルコン酸またはその塩からなる群から選択される、請求項１６の組成物。
【請求項１８】
該少なくとも１つのセメントの硬化を遅延させる活性成分が糖である、請求項１６の組成物。
【請求項１９】
糖がスクロ−ス、ロフェロ−ス、デキストロ−ス、マルト−ス、ラクト−ス、キシロ−ス、フルクト−ス、マンノ−ス、及びグルコ−スからなる群から選択される、請求項１８の組成物。
【請求項２０】
水または石油系溶剤を更に含んでなる、請求項１の組成物。
【請求項２１】
顔料、着色剤、染料、充填剤、レオロジ−改変剤、粘度改変剤、またはこれらの混合物を更に含んでなる、請求項１の組成物。
【請求項２２】
組成物１のコ−ティングを、水和しうるセメント質材料の表面に塗布することを含んでなる、方法。
【請求項２３】
該コ−ティングした材料の表面部分を洗い落とし、これによって浸食された部分を顕在化させることを更に含んでなる、請求項２２の方法。
【発明の詳細な説明】
【技術分野】
【０００１】
本発明は、コンクリ−ト材料の表面を遅延させるための組成物及び方法、特に植物油または動物油を有する表面遅延剤（ｒｅｔａｒｄｅｒ）組成物に関する。
【背景技術】
【０００２】
「表面遅延剤」はコンクリ−ト組成物の表面を処理するために使用される組成物である。骨材を含む新鮮なコンクリ−トを注ぎ、平らにし、次いでその表面に表面遅延剤を約２００ｇ／ｍ２  の割合で噴霧する。数時間後、処理した表面を高圧下のジェット水流で洗い落として未硬化のセメントを除去し且つ骨材を表面に露呈させる。
【０００３】
現在まで表面遅延剤は水または溶剤に基づくものであった。言い換えれば遅延剤の「活性物」（例えばスークローズ、有機酸またはその塩、など）を水に溶解させるか、或いは溶剤に懸濁させている。
【０００４】
しかしながら水基材の及び溶剤基材の表面遅延剤は、利点と欠点をそれぞれ有する。例えば石油蒸留物に由来する溶剤基材のものは、典型的には雨や日光の影響にさほど敏感でないが、環境の観点から好ましくない。水基材の表面遅延剤は、環境には優しいが、高熱または日光にさらした時蒸発に敏感であるから性能に関して影響を受ける。
【０００５】
従ってこれらのそれぞれの欠点を考慮して新規な表面遅延剤が必要である。
【発明の開示】
【発明が解決しようとする課題】
【０００６】
従来法の欠点を克服することに関して、本発明は植物油またはその誘導体、動物油またはその誘導体、或いはそのような油または誘導体の混合物内に分散された少なくとも１つのセメント遅延活性成分を含んでなる表面遅延剤組成物を提供する。
【０００７】
かくして本発明の例示しうる方法は、表面遅延剤組成物を水和しうるセメント質  （ｃｅｍｅｎｔｉｔｉｏｕｓ）材料表面（例えばコンクリ−ト）に塗布し、そしてセメント質材料が硬化し始めた後に処理した表面部分を除去し、これによって除去された表面部分の下の「浸食された」表面部分を顕在化させることを含んでなる。後に「活性物（ａｃｔｉｖｅ）」としてより簡単に言及される通常の硬化遅延剤成分または成分は、個々にまたは他の活性物（及び随意の成分、例えば顔料、充填剤など）と組み合わせて、本発明の組成物及び方法に成功裏に使用できる。
【０００８】
本発明の硬化遅延剤組成物の一つの相対的な利点は、それがぬれた（ｗｅｔ）膜のコ−ティングを与え、そして順次これが、遅延剤活性物に水和しうるセメント質表面へ浸透する好ましい機会を与えることである。このぬれたコンクリートへ浸透する能力が維持されると、表面遅延剤が処理された表面の浸食を可能にする効率が非常に保持される。逆にコ−ティングが蒸発する或いはさもなければ遅延剤活性物を分散させえない（この結果それはもはや活性物でなくなる）場合、浸食の可能性はひどく低下し或いは失われる。
【０００９】
本発明の利点は、例えば耐熱性試験で特に明らかである。高い熱状態において水の比較的速い蒸発速度のために、溶剤基材の表面遅延剤は水基材のそれより良好に機能しうるけれど、本発明の植物油基材及び動物油基材の遅延剤は溶剤基材の遅延剤より良好に働き、一方で同時に天然成分を使用するという事実から環境に優しい製品を提供する。
【００１０】
本発明の他の特徴及び利点は以下更に詳細に記述される。
【課題を解決するための手段】
【００１１】
本明細書で使用するような、「セメント」及び「セメント質（ｃｅｍｅｎｔｉｔｉｏｕｓ）組成物」（これはセメント組成物と同義）は、水和しうるセメント結合材を含んでなるペ−スト、モルタル、及びコンクリ−ト組成物をいうものと理解される。ここに「ペ−スト」、「モルタル」、及び「コンクリ−ト」とは、技術用語である。「ペ−スト」は水和しうるセメント結合剤（普通は、限定するものではないが、ポ−トランドセメント、煉瓦用セメント、またはモルタルセメント、そしてこの結合材は石灰石、水和した石灰、フライアッシュ、粒状の溶鉱炉スラグ、ポゾラン、及びシリカヒュ−ム、またはセメントに通常含まれる他の材料を含んでいてよい）及び水からなる混合物であり、「モルタル」は細かい骨材（例えば砂）を更に含むペ−ストであり、そして「コンクリ−ト」は粗い骨材（例えば粉砕した砂利、石）を更に含むモルタルである。本発明で試験されるセメント質組成物は、必要量のある材料、例えば水和しうるセメント、水、及び細かい及び／または粗い骨材を、特定のセメント組成物を形成せしめるために適用しうるように混合して作られる。
【００１２】
本明細書に記述されるまたは特許請求される成分のすべてのパ−セントは、断らない限り組成物の全重量に関しての値である。
【００１３】
本発明の例示される表面遅延剤組成物は、植物油またはその誘導体、動物油またはその誘導体、或いは該油のまたはその誘導体の混合物に分散された少なくとも１つのセメントの硬化を遅延させる活性成分（これは簡単には「活性物」または「遅延剤活性物」として言及されることがある）を含んでなる。好ましくは該植物油、該動物油、及び／又はこれらの誘導体は、組成物の全重量の１％−９８％、より好ましくは組成物の全重量の２５％−９２％、最も好ましくは組成物の全重量の５０％−９０％である。
【００１４】
通常の遅延剤活性物は本発明で使用するのに適当であり、またこれらはユーザーに応じて単独でまたは組み合わせて使用しうる。例示できる硬化を遅延させる活性物は、組成物の全重量の１−２０％の量で使用できる。例示できる固化を遅延させる活性物はカルボン酸（例えばリンゴ酸、酒石酸、クエン酸、グルコン酸、ヘプタグルコン酸）及びその塩（例えばナトリウム、カリウム、カルシウム塩）を含み、或いはそれは糖、スクロ−ス、ロフェロ−ス、デキストロ−ス、マルト−ス、ラクト−ス、キシロ−ス、フルクト−ス、マンノ−ス、及びグルコ−スであってよい。
【００１５】
本明細書で使用される「植物油」とは、植物及び樹液木の、種子、果実、または木の実（例えばパラゴムの木の樹液、メ−プル、リグノスルホネ−ト、松の木の樹液）から抽出される産生物（液体、ペースト、または固体形のいずれか）を意味し、またそれに関するものである。植物油は一般に混合グリセリドの混合物であると考えられる［参照、例えばＮ．ア−ビング（Ｉｒｖｉｎｇ）、リチャ−ド（Ｒｉｃｈａｒｄ）Ｊ．ルイス（Ｌｅｗｉｓ），Ｓｒ．編、ホ−リ−（Ｈａｗｌｅｙ）の簡略化学辞典、第１１版、フォン・ノストランド・レインホ−ルド社（Ｖｏｎ  Ｎｏｓｔｒａｎｄ  Ｒｅｉｎｈｏｌｄ  Ｃｏ．，Ｎｅｗ  Ｙｏｒｋ，１９８７年）、１２１９ページ］。植物油は、ナタネ油、ヒマワリ油、大豆油、ヒマシ油、落花生油、ブドウの種子油、トウモロコシ油（例えばコーンの胚芽油を含む）、キヤノラ油、ココナッツ脂、アマニ油、ゴマ油、オリーブ油、パーム油、ア−モンド油、アボカド油、キリ油、ココア油、サフラワ−油、麻実油、クルミ油、ケシ油、オイチシカ油（例えばブラジルのオイチシカの木（Ｌｉｃａｎｉａ  ｒｉｇｉｄａ）の種子から圧搾で得られる）、パ−ムナッツ油、エノ油、ペカン油、桐油、及び松根タール油を含むが、これに限定されるものではない。
【００１６】
本発明の好適な硬化遅延剤組成物は、ナタネ油に分散された少なくとも１つの活性物、例えばクエン酸またはクエン酸塩、或いは糖例えばスクロ−スを含んでなる。例えばこのナタネ油は組成物の全重量の５０％またはそれ以上であってよい。
【００１７】
更なる具体例は、遅延剤活性物を分散させるために植物油誘導体も使用できる。そのような誘導体はＣ６  −Ｃ３０脂肪酸のモノ及びジグリセリド、Ｃ６  −Ｃ３０脂肪酸のエステル、Ｃ６  −Ｃ３０脂肪酸のエトキシル化化合物、Ｃ６  −Ｃ３０脂肪族アルコ−ル、Ｃ６  −Ｃ３０脂肪族アミン、Ｃ６  −Ｃ３０脂肪族アミド、及びト−ル油誘導体からなる群から選択しうる。
【００１８】
本発明の目的に有用と考えられる可能性のある有能な植物油及び動物油誘導体の一覧表はかなり大きい。しかしながら、ニ−ルセン（Ｎｉｅｌｓｅｎ）らの世界特許出願ＷＯ第８５／０５０６６号（国際公開番号）、国際特許明細書番号ＰＣＴ／ＣＫ８５／０００４３の、１６ページから始まる部分に有用な一覧表が示されている。この誘導体は、酢酸ヘキシル、酢酸２−エチルヘキシル、酢酸オクチル、酢酸イソオクチル、酢酸セチル、酢酸ドデシル、酢酸トリデシル；ラク酸ブチル、ラク酸イソブチル、イソラク酸アミル、ラク酸ヘキシル、ラク酸ヘプチル、ラク酸イソヘプチル、ラク酸オクチル、ラク酸イソオクチル、ラク酸２−エチルヘキシル、ラク酸ノニル、ラク酸イソノニル、ラク酸セチル、ラク酸イソセチル；ヘキサン酸エチル、ヘキサン酸プロピル、ヘキサン酸イソプロピル、ヘキサン酸ブチル、ヘキサン酸イソブチル、ヘキサン酸アミル、ヘキサン酸ヘキシル、ヘキサン酸ヘプチル、ヘキサン酸イソヘプチル、ヘキサン酸オクチル、ヘキサン酸２−エチルヘキシル、ヘキサン酸ノニル、ヘキサン酸イソノニル、ヘキサン酸セチル、ヘキサン酸イソセチル；オクタン酸メチル、オクタン酸エチル、オクタン酸プロピル、オクタン酸イソプロピル、オクタン酸ブチル、オクタン酸イソブチル、オクタン酸アミル、オクタン酸ヘキシル、オクタン酸ヘプチル、オクタン酸イソヘプチル、オクタン酸オクチル、オクタン酸イソオクチル、オクタン酸２−エチルヘキシル、オクタン酸ノニル、オクタン酸イソノニル、オクタン酸セチル、オクタン酸イソセチル；２−エチルヘキサン酸メチル、２−エチルヘキサン酸エチル、２−エチルヘキサン酸プロピル、２−エチルヘキサン酸イソプロピル、２−エチルヘキサン酸ブチル、２−エチルヘキサン酸イソブチル、２−エチルヘキサン酸イソアミル、２−エチルヘキサン酸ヘキシル、２−エチルヘキサン酸ヘプチル、２−エチルヘキサン酸イソヘプチル、２−エチルヘキサン酸オクチル、２−エチルヘキサン酸イソオクチル、２−エチルヘキサン酸２−エチルヘキシル、２−エチルヘキサン酸ノニル、２−エチルヘキサン酸イソノニル、２−エチルヘキサン酸セチル、２−エチルヘキサン酸イソセチル；デカン酸メチル、デカン酸エチル、デカン酸プロピル、デカン酸イソプロピル、デカン酸ブチル、デカン酸イソブチル、デカン酸イソアミル、デカン酸ヘキシル、デカン酸ヘプチル、デカン酸イソヘプチル、デカン酸オクチル、デカン酸イソオクチル、デカン酸２−エチルヘキシル、デカン酸ノニル、デカン酸イソノニル、デカン酸セチル、デカン酸イソセチル；ラウリン酸メチル、ラウリン酸エチル、ラウリン酸プロピル、ラウリン酸イソプロピル、ラウリン酸ブチル、ラウリン酸イソブチル、ラウリン酸イソアミル、ラウリン酸ヘキシル、ラウリン酸ヘプチル、ラウリン酸イソヘプチル、ラウリン酸オクチル、ラウリン酸イソオクチル、ラウリン酸２−エチルヘキシル、ラウリン酸ノニル、ラウリン酸イソノニル、ラウリン酸セチル、ラウリン酸イソセチル；オレイン酸エチル、オレイン酸プロピル、オレイン酸イソプロピル、オレイン酸ブチル、オレイン酸イソブチル、オレイン酸イソアミル、オレイン酸ヘキシル、オレイン酸ヘプチル、オレイン酸イソヘプチル、オレイン酸オクチル、オレイン酸イソオクチル、オレイン酸２−エチルヘキシル、オレイン酸ノニル、オレイン酸イソノニル、オレイン酸セチル、オレイン酸イソセチル；コハク酸ジエチル、コハク酸ジプロピル、コハク酸ジイソプロピル、コハク酸ジブチル、コハク酸ジイソブチル、コハク酸ジイソアミル、コハク酸ジヘキシル、コハク酸ジヘプチル、コハク酸ジイソヘプチル、コハク酸ジオクチル、コハク酸ジイソオクチル、コハク酸ジ−２−エチルヘキシル、コハク酸ジノニル、コハク酸ジイソノニル、コハク酸ジセチル、コハク酸ジイソセチル；アジピン酸ジメチル、アジピン酸ジエチル、アジピン酸ジプロピル、アジピン酸ジイソプロピル、アジピン酸ジブチル、アジピン酸ジイソブチル、アジピン酸ジイソアミル、アジピン酸ジヘキシル、アジピン酸ジヘプチル、アジピン酸ジイソヘプチル、アジピン酸ジオクチル、アジピン酸ジイソオクチル、アジピン酸ジ−２−エチルヘキシル、アジピン酸ジノニル、アジピン酸ジイソノニル、アジピン酸ジセチル、アジピン酸ジイソセチル；ミリスチン酸イソプロピル、ミリスチン酸イソブチル、ミリスチン酸ブチル、ミリスチン酸アミル、ミリスチン酸ヘキシル、ミリスチン酸ヘプチル、ミリスチン酸イソヘプチル、ミリスチン酸オクチル、ミリスチン酸２−エチルヘキシル、ミリスチン酸ノニル、ミリスチン酸イソノニル、ミリスチン酸セチル、ミリスチン酸イソセチル；パルミチン酸イソプロピル、パルミチン酸イソブチル、パルミチン酸ブチル、パルミチン酸アミル、パルミチン酸ヘキシル、パルミチン酸ヘプチル、パルミチン酸イソヘプチル、パルミチン酸オクチル、パルミチン酸２−エチルヘキシル、パルミチン酸ノニル、パルミチン酸イソノニル、パルミチン酸セチル、パルミチン酸イソセチル；ステアリン酸イソプロピル、ステアリン酸イソブチル、ステアリン酸ブチル、ステアリン酸アミル、ステアリン酸ヘキシル、ステアリン酸ヘプチル、ステアリン酸イソヘプチル、ステアリン酸オクチル、ステアリン酸２−エチルヘキシル、ステアリン酸ノニル、ステアリン酸イソノニル、ステアリン酸セチル、ステアリン酸イソセチルを含む。
【００１９】
本発明に有用な植物油は精油であってもよい。ここに「精油」とは、元の花や果実の特徴的な芳香や風味（即ち本質的性質）を含む油を意味する。精油は普通花または葉の水蒸気蒸留或いは外皮または他の部分（例えば幹、花、小枝など）の冷圧搾によって得られる。精油の例は、オレンジ、グレ−プフル−ツ、レモン、柑橘類、及び松の木を含む。
【００２０】
本発明の他の例示できる表面遅延剤組成物においては、少なくとも１つのセメントのコ硬化を遅延させる活性物を、植物油またはその誘導体の代わりにまたはそれと組み合わせて使用できる動物油またはその誘導体に分散させることができる。ここに「動物油」とは、動物の構成部、例えば骨または他の動物体成分から得られる産生物（油、ワックス、または固体形のいずれか）を意味する。その例は、ラ−ド油、骨油、ニシン油、タラ肝油、牛脚油、イワシ油、ラノリン油、魚油、羊毛油、タロ−油、及び蜂蜜油を含む。動物油の誘導体は、Ｃ６  −Ｃ３０脂肪酸のモノ及びジグリセリド、Ｃ６  −Ｃ３０脂肪酸のエステル、Ｃ６  −Ｃ３０脂肪酸のエトキシル化化合物、Ｃ６  −Ｃ３０脂肪族アルコ−ル、Ｃ６  −Ｃ３０脂肪族アミン、Ｃ６  −Ｃ３０脂肪族アミド、及びト−ル油誘導体を含む。（参照、植物油誘導体の議論で上述した一覧表）。
【００２１】
更に動物油及び植物油の混合物は種々の用途に使用できることも意図される。例えば松の木油は羊毛油の臭いを被覆しまたは隠蔽するのに使用できる。例示できる表面遅延剤組成物は、ヒマワリ油メチルエステル（４０％）、羊毛油（２５％）、スクロース（９％）、酸化鉄  （２％）、けいそう土（２２％）、及び松の木油（２％）を含んでなる。但しこれらのすべてのパ−セントは組成物の全重量に基づくものである。
【００２２】
更に例示しうる表面遅延剤組成物においては、遅延剤活性物を２つまたはそれ以上の異なる植物油に分散させることができる。即ち例えば、活性物を植物油並びに植物油誘導体を含んでなる連続相担体内に分散させてよい。植物油（単複）及び／または動物油（単複）は、好ましくは連続相担体として機能し、その中に１つまたはそれ以上の遅延剤活性物（例えば糖、酸、及び／またはその塩）が非連続相として全体に懸濁されている。
【００２３】
本発明者は本発明組成物に溶媒を使用しないことを好むが、それは植物及び／または動物油の他に溶剤または水を随時使用してもよい。即ち随時、石油基剤の溶剤及び／または水が、本発明の組成物に混入できる。但し、そのようなことは先に議論した性能または環境的理由のために好適ではない。
【００２４】
更に例示しうる本発明の表面遅延剤組成物は、随時充填剤、例えば炭酸カルシウム、二酸化ケイ素、砂、雲母、タルク、粘土（例えばカオリン）、硫酸バリウム、シリコアルミン酸ナトリウム、アルミナ、炭酸バリウム、ドロマイト（カルシウム及びマグネシウムの炭酸塩、ＣａＭｇ（ＣＯ３  ）２  ），炭酸マグネシウム、酸化マグネシウム、けいそう土、またはこれらのいずれかの混合物を含むことができる。全充填剤含量は、例えば表面遅延剤組成物の全重量に基づいて０−５０％であってよい。
【００２５】
更に例示しうる本発明の表面遅延剤組成物は、１つまたはそれ以上の顔料、着色剤、または染料、例えば二酸化チタン、酸化鉄、酸化クロム、酸化コバルト、酸化亜鉛、カ−ボンブラック、または他の顔料または着色剤を、組成物の全重量の０−３０％の量で含んでいてもよい。本組成物の使用者が、例えば噴霧適用中に、特に意図するセメント質表面が表面遅延剤組成物で処理されたことを肉眼で確認できるように、少なくとも１つの顔料、着色剤、または染料を使用することは望ましい。
【００２６】
他の例示しうる本発明の表面遅延剤組成物は更に他の成分、例えばソルビト−ル、ほう酸（またはその塩）、アルキルホスフェ−ト、タンパク質、及びカゼインを含んでいてよい。これらの更なる成分は、表面遅延剤組成物の種々の性質、例えばレオロジ−、粘度、及び／または表面張力を調節するために使用できる。従って、更なる具体例は１つまたはそれ以上のレオロジ−改変剤及び／または粘度改変剤を含む。
【００２７】
本発明の例示しうる方法は、表面遅延剤組成物のコ−ティングを、水和しうるセメント質材料の表面、例えばコンクリ−トの表面に適用することを含んでなる。組成物はローラーで塗布できるが、好ましくは噴霧で、処理すべき表面に直接塗布される。続いて処理した表面部分を、加圧洗浄機またはホースを用いて洗い落とし、処理した、除去した表面部分の下の浸食された部分を露呈させる。
【００２８】
以下の実施例は、例示の目的だけで示すものであり、特許請求の範囲を限定するものではない。
［実施例Ｉ］
【００２９】
３つの表面遅延剤組成物を比較試験のために処方した。１つは溶剤基材、第２は水基材、そして第３は植物油基材のものであった。３つの処方物の、１００重量部当たりの部に基づく成分量を表１に要約する。
【００３０】
【表１】
2007509025.tif 000002
次いでこれらの３つの処方物の各々を、しみだし水をコンクリートから蒸発させた後（普通コンクリ−トを混合し且つ注入した後約２０分かかる）噴霧コーティングによりコンクリ−ト表面に塗布した。コンクリ−トは約３５０ｋｇ／ｍ３  であり、タイプ１のポルトランドセメントを用いて約０．５５の水／セメント比であった。当量の顔料の含有（ｉｎｃｌｕｓｉｏｎ）は、コンクリ−ト表面における等しいコ−ティング厚さ（約０．２ｍｍ）の視覚的推測を可能にした。
【００３１】
ぬれた噴霧コ−ティングを、３５℃で１日間コンクリ−ト表面上に残させることによって耐熱性を試験した。次いでこの表面を、水で噴霧して処理した部分を除去した。水基材の表面遅延剤は表面を貧弱に浸食し、一方溶剤基材の処方物は良好であると判定されたが、植物油基材の表面遅延剤はコンクリ−ト表面の浸食が深く非常に良好であった。本発明者によれば、植物油基材の表面遅延剤は遅延剤活性物がコンクリ−ト中へ有効に浸透するぬれたフィルムコ−ティング担体を提供したと判断した。
【００３２】
次に、３つの試料処方物をぬれたコンクリ−ト表面に湿式噴霧コ−ティングし、１時間待ち、次いで処置した表面に水を噴霧することにより、耐雨性を試験した。この試験において、水基材の遅延剤は再び貧弱にしか機能しなかったが、溶剤基材と植物油基材の表面遅延剤処方物は浸食の深さが水基材の処方物に比べてより深かったから「良好」の性能を示した。本発明者は、これがぬれたフィルムコ−ティングが水（または雨）によって容易に洗い落とされないという事実のためであると考える。
【００３３】
３つの異なる試料処方物の冷温効率を評価するために第３の試験を行った。３つの処方物を３つの異なるぬれたコンクリ−ト表面に塗布し、次いでこれを２４時間５℃の温度に供した。処理した表面を洗い落とした時、水基材の表面遅延剤によって付与される浸食の深さは「中程度」と判断され、植物油基材及び溶剤基材の両方の表面遅延剤は「良好」な浸食深さを可能にした。
【００３４】
最後に３つの処方物を３日間の遅延試験に供した。最初、最初の組のすべて３つの処方物をぬれたコンクリ−ト上に噴霧コ−ティングし、２０℃で３日間放置し、一方で第２の組を同様に塗布し、５℃で３日間放置した。両方の場合、洗い落とし後水基材の表面遅延剤は「貧弱な」浸食深さを与え、溶剤基材の表面遅延剤は「良好な」浸食深さを与え、植物油基材の表面遅延剤は「非常に良好な」浸食深さを与えることが観察された。再びこれは、植物油基材の表面遅延剤が表面活性物を硬化コンクリ−ト表面中へ浸透させる最も好ましいフィルムコ−ティングを提供するという本発明者の推測を証明するように見えた。
【００３５】
これらの試験結果を下の表２に示す。
【００３６】
【表２】
2007509025.tif 000003
［実施例ＩＩ］
【００３７】
コンクリ−トによって失われる水の量を、３つの処方物を３つの異なるコンクリ−ト表面試料にコ−ティングして試験した。７８時間における平方メートル当たりの水消失量に関して、ＡＳＴＭ  Ｃ３０９にしたがって硬化効果を試験した。水基材表面遅延剤処方物の場合、水消失量は２５００ｇであり、植物油基材及び溶剤基材処方物の両方に対する水消失量は１０００ｇであった。これらの結果を下の表３に示す。この表は、生分解性（ＩＳＯ９４０８による）及び燃焼性（試料を小カップへ注入する時）に対する評価も示す。
【００３８】
【表３】
2007509025.tif 000004
従って、これらの試験は、植物油基材表面遅延剤処方物が環境的に健全であることを明らかにする。
［実施例ＩＩＩ］
【００３９】
種々の表面遅延剤活性物、糖及び酸／塩種の両方を用いた異なる処方物を、種々の植物油及び植物油誘導体の組合わせ物を用いて、溶剤基材及び水基材処方物と比べて試験した。遅延剤活性物は組み合わせても、単独でも使用した。動物油も試験した。多くの場合、結果は上述したものと同様であった。
【００４０】
上記実施例及び具体例は例示の目的だけで示してあり、本発明の範囲を限定する意図はない。
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
浸食される表面を有し、ポルトランドセメント、煉瓦用セメント、またはモルタルセメント、及び水を含んでなり、更に砂、粉砕された砂利、及び石からなる群から選択される骨材を含んでなる水和しうるセメント結合剤を含んでなる、水和しうるセメント質組成物を用意し、
コ−ティング組成物を該セメント質組成物の表面に塗布し、但し該コ−ティング組成物が植物油またはその誘導体、動物油またはその誘導体、或いは該油またはその誘導体の混合物に分散された少なくとも１つのセメントの硬化を遅延させる活性成分を含んでなり、そして
該コ−ティング組成物でコ−ティングされた該セメント質組成物の該表面部分を加圧洗浄機またはホースで洗い落とし、これによって該骨材を含んでなる該セメント質組成物中の浸食された部分を露呈させる、
ことを含んでなる水和しうるセメント質組成物の表面の処理法。
【請求項２】
該植物油、該動物油、或いはこれらの混合物または誘導体がコーティング組成物の全重量の、少なくとも１％で９８％を越えない、請求項１の方法。
【請求項３】
該植物油、該動物油、或いはこれらの混合物または誘導体がコーティング組成物の全重量の、少なくとも２５％で９２％を越えない、請求項１の方法。
【請求項４】
該植物油、該動物油、或いはこれらの混合物または誘導体がコーティング組成物の全重量の、少なくとも５０％で９０％を越えない、請求項１の方法。
【請求項５】
少なくとも１つのセメントの硬化を遅延させる活性成分を植物油に分散させる、請求項４の方法。
【請求項６】
該植物油が、ナタネ油、ヒマワリ油、大豆油、ヒマシ油、落花生油、ブドウ種油、トウモロコシ油、キヤノラ油、ココナッツ油、アマニ油、ゴマ油、オリーブ油、パーム油、ア−モンド油、アボカド油、キリ油、ココア油、サフラワ−油、麻実油、クルミ油、ケシ油、オイチシカ油、パ−ムナッツ油、エノ油、ペカン油、桐油、及び松根タール油からなる群から選択される、請求項５の方法。
【請求項７】
該植物油がナタネ油を全重量の少なくとも５０％で含んでなる、請求項１の方法。
【請求項８】
該少なくとも１つのセメントの硬化を遅延させる活性成分を植物油またはその誘導体に分散させる、請求項１の方法。
【請求項９】
該植物油誘導体が、Ｃ６  −Ｃ３０脂肪酸のモノ及びジグリセリド、Ｃ６  −Ｃ３０脂肪酸のエステル、Ｃ６  −Ｃ３０脂肪酸のエトキシル化化合物、Ｃ６  −Ｃ３０脂肪族アルコ−ル、Ｃ６  −Ｃ３０脂肪族アミン、Ｃ６  −Ｃ３０脂肪族アミド、及びト−ル油誘導体からなる群から選択される１つまたはそれ以上の物質を含んでなる、請求項８の方法。
【請求項１０】
該少なくとも１つのセメントの硬化を遅延させる活性成分を植物油またはその誘導体に分散させ、そして該植物油またはその誘導体が精油である、請求項１の方法。
【請求項１１】
該精油がオレンジ、グレ−プフル−ツ、レモン、カンキツ類、及び松、のエッセンスから選択される、請求項１の方法。
【請求項１２】
該少なくとも１つのセメントの硬化を遅延させる活性成分を、ラ−ド油、骨油、ニシン油、タラ肝油、牛脚油、イワシ油、ラノリン油、魚油、羊毛油、及びタロ−油からなる群から選択される動物油に分散させる、請求項１の方法。
【請求項１３】
該動物油が、Ｃ６  −Ｃ３０脂肪酸のモノ及びジグリセリド、Ｃ６  −Ｃ３０脂肪酸のエステル、Ｃ６  −Ｃ３０脂肪酸のエトキシル化化合物、Ｃ６  −Ｃ３０脂肪族アルコ−ル、Ｃ６  −Ｃ３０脂肪族アミン、Ｃ６  −Ｃ３０脂肪族アミド、及びト−ル油誘導体からなる群から選択される物質を含んでなる、請求項１２の方法。
【請求項１４】
該組成物が少なくとも２つの異なる植物油、または植物油及び植物油誘導体を含んでなる、請求項１の方法。
【請求項１５】
該少なくとも１つのセメントの硬化を遅延させる活性成分が糖、或いは酸またはその塩である、請求項１の方法。
【請求項１６】
該少なくとも１つのセメントの硬化を遅延させる活性成分が組成物の全重量の、少なくとも１％で２０％を越えない量で存在する、請求項１５の方法。
【請求項１７】
該少なくとも１つのセメントの硬化を遅延させる活性成分がカルボン酸またはその塩、リンゴ酸またはその塩、酒石酸またはその塩、クエン酸またはその塩、グルコン酸またはその塩、ヘプタグルコン酸またはその塩からなる群から選択される、請求項１６の方法。
【請求項１８】
該少なくとも１つのセメントの硬化を遅延させる活性成分が糖である、請求項１６の方法。
【請求項１９】
糖がスクロ−ス、ロフェロ−ス、デキストロ−ス、マルト−ス、ラクト−ス、キシロ−ス、フルクト−ス、マンノ−ス、及びグルコ−スからなる群から選択される、請求項１８の方法。
【請求項２０】
水または石油系溶媒を更に含んでなる、請求項１の方法。
【請求項２１】
顔料、着色剤、染料、充填剤、レオロジ−改変剤、粘度改変剤、またはこれらの混合物を更に含んでなる、請求項１の方法。
【請求項２２】
該コ−ティング組成物が、植物油またはその誘導体及び動物油またはその誘導体の混合物を含んでなる、請求項３の方法。
【請求項２３】
（Ａ）浸食される表面を有し、ポルトランドセメント、煉瓦用セメント、またはモルタルセメント、及び水を含んでなり、更に砂、粉砕された砂利、及び石からなる群から選択される骨材を含んでなる水和しうるセメント結合剤を含んでなる、水和しうるセメント質組成物を用意し、
（Ｂ）コ−ティング組成物が該組成物の全重量の少なくとも１％で２０％を越えない量で存在する少なくとも１つのセメントの硬化を遅延させる活性成分を含んでなり、該少なくとも１つのセメントの硬化を遅延させる活性成分を、該コ−ティング組成物の全重量の少なくとも２５％で９２％を越えない量で存在する油担体中に分散させ、そして該油担体が少なくとも２つの異なる植物油または植物油と植物油誘導体、そして少なくとも１つの動物油を含んでなり、
該少なくとも１つのセメントの硬化を遅延させる活性成分が、カルボン酸またはその塩、リンゴ酸またはその塩、酒石酸またはその塩、クエン酸またはその塩、グルコン酸またはその塩、ヘプタグルコン酸またはその塩からなる群から選択され、そして
該コ−ティング組成物がさらに顔料、着色剤、染料、またはこれらの混合物を含んでなり、そして該コ−ティング組成物が更に充填剤、レオロジ−改変剤、粘度改変剤、またはこれらの混合物を含んでなり、そして
（Ｃ）該コ−ティング組成物でコ−ティングされた該セメント質組成物の該表面部分を加圧洗浄機またはホースで洗い落とし、これによって該骨材を含んでなる該セメント質組成物中の浸食された部分を露呈させる、
水和しうるセメント質組成物の表面の処理法。
【国際調査報告】
2007509025.tif 000005
2007509025.tif 000006